(57)【特許請求の範囲】
【請求項１】
建物等の構造部材に対して板ガラス保持具を取り付ける取付装置において、
上記構造部材に固定される取付ベースと、この取付ベースの前方に配置され、かつ取付ベースに螺合されたカバーと、上記取付ベースと上記カバーとによって挟持され、上記板ガラス保持具の取付軸が連結される連結部材とを備え、
上記連結部材を挟持する上記取付ベースおよび上記カバーの各挟持部に球面座がそれぞれ形成され、上記連結部材に上記各球面座に球面接触する球面部が形成され、
上記取付ベースまたは上記カバーと上記連結部材との間に、上記連結部材の回転姿勢を調節する調節機構が設けられ、
上記調節機構が、上記球面部の前後方向における中央部外周面に突設された環状のフランジ部と、上記カバーにこれを前後方向に貫通した状態で螺合され、上記フランジ部の周方向に互いに離間して配置された３個以上の調節ネジとを有し、各調節ネジで上記フランジ部の前面を押圧することにより、上記連結部材の回転姿勢が調節されることを特徴とする板ガラス保持具の取付装置。
【請求項２】
上記構造部材に上記取付ベースを固定するための１本の固定軸が設けられ、上記取付ベースに上記固定軸が相対回転可能に、かつ長手方向へ相対移動可能に挿通される長孔が形成されていることを特徴とする請求項１に記載の板ガラス保持具の取付装置。
【請求項３】
上記固定軸に突き当たることにより上記取付ベースの上記固定軸に対する上記長孔の長手方向における位置を調節する固定位置調節ネジを上記取付ベースに螺合させたことを特徴とする請求項２に記載の板ガラス保持具の取付装置。
【発明の詳細な説明】
【０００１】
【発明の属する技術分野】
この発明は、点押え方式で板ガラスを保持する板ガラス保持具を、建物等の構造部材に対して取り付けるための取付装置に関する。
【０００２】
【従来の技術】
近年、上下左右に並べた多数の板ガラスで外壁を構成した建物がよく見うけられる。この種の建物においては、開放感や美観の向上を図るために、板ガラスを方立や桟を用いずに、板ガラス保持具により点押さえ方式で支持するようにしたものがある。
【０００３】
図４（ａ）、（ｂ）はこの種の方式で板ガラスを支持した構造を示している。図において、符号１は板ガラス保持具であり、４枚の板ガラスＧ間の目地の交差部に配置され、各板ガラスＧの隅部を保持している。符号２は板ガラス保持具１の水平な取付軸であり、取付装置５を介して建物の構造部材Ｍ（壁や柱等）に取り付けられている。
【０００４】
取付装置５は、取付軸２が連結される連結筒６と、ベース板７とを備えており、ベース板７が、構造部材Ｍから突出した２つのボルト８およびこれらに螺合されたナット９により、座金１１およびスペーサ（シム）１２を介して構造部材Ｍに固定されている。この場合、スペーサ１２の枚数を調節することにより、連結筒６の傾きが取付軸２に対応するよう調整されている。
【０００５】
【発明が解決しようとする課題】
上記従来の取付装置５においては、ベース板７と構造部材Ｍ間に配置するスペーサ１２の枚数を調節することによって、取付装置１の連結筒６の傾きを調整していたが、調整作業が面倒である上、上下方向にしか調整することができず、調整の自由度が低いという問題があった。
【０００６】
【課題を解決するための手段】
上記の問題を解決するために、請求項１に係る発明は、建物等の構造部材に対して板ガラス保持具を取り付ける取付装置において、上記構造部材に固定される取付ベースと、この取付ベースの前方に配置され、かつ取付ベースに螺合されたカバーと、上記取付ベースと上記カバーとによって挟持され、上記板ガラス保持具の取付軸が連結される連結部材とを備え、上記連結部材を挟持する上記取付ベースおよび上記カバーの各挟持部に球面座がそれぞれ形成され、上記連結部材に上記各球面座に球面接触する球面部が形成されていることを特徴としている。
【０００７】
この場合、上記取付ベースまたは上記カバーと上記連結部材との間に、上記連結部材の回転姿勢を調節する調節機構を設けるのが望ましい。この調節機構については、上記球面部の前後方向における中央部外周面に突設された環状のフランジ部と、上記カバーにこれを前後方向に貫通した状態で螺合され、上記フランジ部の周方向に互いに離間して配置された３個以上の調節ネジとを有し、各調節ネジで上記フランジ部の前面を押圧することにより、上記連結部材の回転姿勢を調節するものであることが望ましい。
【０００８】
また、上記構造部材に上記取付ベースを固定するための１本の固定軸を設け、上記取付ベースに上記固定軸が相対回転可能に、かつ長手方向へ相対移動可能に挿通される長孔を形成するのが望ましい。その場合には、上記固定軸に突き当たることにより上記取付ベースの上記固定軸に対する上記長孔の長手方向における位置を調節する固定位置調節ネジを上記取付ベースに螺合させるのが特に望ましい。
【０００９】
【発明の実施の形態】
以下、この発明の一実施の形態について図面を参照して説明する。ここで、図１は、この発明に係る取付装置５０を用いて板ガラス保持具の取付軸２を建物の構造部材Ｍ側に対して取り付けた状態を示す図であり、図２は同取付装置５０の分解斜視図であり、図３は同取付装置の主要部品の構成図である。
【００１０】
図１および図２に示すように、取付装置５０は、構造部材Ｍに固定されるカップ状の取付ベース２１と、取付ベース２１に螺合されるカップ状のカバー２２と、先端部に板ガラス保持具の取付軸２が連結されるナット部材（連結部材）２３とを主な構成要素としている。
【００１１】
取付ベース２１は、図３に示すように、円筒状をなす周壁２１ａと、この周壁２１ａの後端部に一体に設けられた後面壁２１ｂと、周壁２１ａの前側の内周面に形成された環状の前面壁２１ｃとを有しており、前面壁２１ｃと後面壁２１ｂとの間の周壁２１ａの内部が、ナット収容空間２１ｄになっている。後面壁２１ｂには長孔２１ｆが形成されている。この長孔２１ｆには、構造部材Ｍに水平に設けられたスタッドボルト（固定軸）１８が長孔２１ｆの長手方向へ相対移動可能に、かつ相対回動可能に挿通されている。このスタッドボルト１８の先端部は、長孔ナット２１ｄを貫通してナット収容空間２１ｄに達しており、そこには、ナット２４が螺合されている。そして、このナット２４を締め付けて座金２５を介して後面壁２１ｂを構造部材Ｍに押し付けることにより、取付ベース２１が構造部材Ｍに固定されている。この場合、スタッドボルト１８が長孔２１ｆに対して相対移動可能かつ相対回動可能であるから、取付ベース２１はスタッドボルト１８と直交する平面上において、かつ長孔２１ｆの長さの範囲内において位置調節可能である。
【００１２】
ナット収容空間２１ｄに臨む周壁２１ａには、切欠き２１ｅが設けられている。この切欠き２１ｅは、ナット２４を回動操作する工具（図示せず）を挿通するためのものであり、切欠き２１ｅを通して工具を挿通し、その先端部をナット２４の外周面に形成された孔２４ａ（図２参照）に差し込むことにより、ナット２４を回動操作することができるようになっている。また、周壁２１ａの上記長孔２１ｆの長手方向の両端側に位置する箇所には、当該箇所を貫通するネジ孔２１ｉが形成されており、このネジ孔２１ｉには、固定位置調節ネジ２７（図１参照）が螺合されている。そして、各固定位置調節ねじ２７をナット２４の外周面に突き当てた状態でねじ込量を加減することにより、長孔２１ｆの長手方向における取付ベース２１の位置調節を行うことができるようになっている。
なお、この実施の形態では、固定位置調節ねじ２７が、ナット２４を介してスタッドボルト１８に突き当てられているが、スタッドボルト１８に直接突き当てるようにしてもよい。
【００１３】
環状をなす前壁部２１ｃの内周面には、球面座２１ｇが形成されている。この球面座２１ｇは、球面の一部からなるものであり、球面座２１ｇが前方へ向かうにしたがって開くよう、球面座２１ｇの曲率中心は、前壁部２１ｃより前方に位置している。
【００１４】
カバー２２は、環状の前面壁２２ａと、この前面壁２２ａから後方に延びる円筒状の周壁２２ｂとを有しており、周壁２２ｂの内周面に形成された雌ネジ部２２ｆが、取付ベース２１の先端部外周面に形成された雄ネジ２１ｈに螺合することによって取付ベース２１に取り付けられている。前面壁２２ａの中心開口２２ｃの周囲には、前壁部２２ａを前後方向に貫通する３個以上（この実施の形態では４個）のネジ孔２２ｄが円周方向に等間隔をもって形成されている。各ネジ孔２２ｄには、調節ネジ２６（図１参照）が螺合されている。
【００１５】
また、中心開口２２ｃの後端側の内周面には、球面の一部からなる球面座２２ｅが形成されている。この球面座２２ｅは、取付ベース２１の球面座２１ｇと同一の曲率半径をもって形成されており、球面座２２ｅが後方へ向かって開くよう、その曲率中心は前面壁２２ａより前方に位置している。しかも、ネジ部２１ｈ，２２ｆを所定量だけねじ込むと球面座２１ｇ，２２ｅの曲率中心が互いに一致するようになっている。
【００１６】
ナット部材２３は略円筒状をなすもので、取付ベース２１側の基端部外周面には、球面部２３ａが形成されている。この球面部２３ａは、球面座２１ｇ，２２ｅと同一の曲率半径を有している。したがって、球面部２３ａは、カバー２２を緩く締め付けた場合には、球面座２１ｇ，２２ｅに回動可能に面接触し、制限された範囲内ではあるが上下左右の任意の方向に回動可能である。その一方、カバー２２を強く締め付けた場合には、球面座２１ｇ，２２ｅによって挟持固定される。
【００１７】
球面部２３ａの外周面の前後方向における中央部には、環状のフランジ部２３ｂが形成されている。このフランジ部２３ｂは、ナット部材２３の軸線方向と直交する平面内に配置されており、上記ネジ孔２２ｄと対向している。したがって、各ネジ孔２２ｄに螺合させた調節ネジ２６をフランジ部２３ｂの前面に適宜押し付けることにより、ナット部材２３の回動位置を調節することができるとともに、調節後の回動位置に位置固定することができる。
【００１８】
ナット部材２３の内周面には、板ガラス保持具の取付軸２をねじ込むための雌ネジ孔２３ｃが形成され、その周壁部には、取付軸２の回り止め用の止めネジ２８（図２参照）を捩じ込むためのネジ孔２３ｄが形成されている。そして、取付軸２を雌ネジ孔２３ｃに適宜ねじ込んだ後、止めネジ２８を締め付けることにより、取付軸２がナット部材２３に固定されている。なお、ナット部材２３の先端部には、取付軸２をねじ込む際にナット部材２３が取付軸２と共回りするのを阻止するための工具を係合する係合部２３ｅが設けられている。
【００１９】
取付装置５０を組み立てる場合は、図１に示すように、構造部材Ｍ側のスタッドボルト１８を取付ベース２１の長孔２１ｆに通し、後面壁２１ｂを構造部材Ｍの表面に密着させる。その後、ナット２４を緩く締め付けて取付ベース２１を構造部材Ｍに仮固定する。次に、取付ベース２１の周壁２１ａのネジ孔２１ｉに螺合した固定位置調節ネジ２７の捩じ込み量を加減し、調節ネジ２７の先端でナット２４の外周を押圧することにより、長孔２１ｆの長手方向に、スタッドボルト１８に対する取付ベース２１の位置を調節する。この位置調節に先立って、取付ベース２１を適宜回動調節することにより、長孔２１ｆの長手方向を変更することができる。したがって、取付ベース２１は、構造部材Ｍの壁面に沿って任意の方向に位置調節可能である。取付ベース２１の位置を調節したら、ナット２４を締め付けて取付ベース２１を構造部材Ｍに固定する。
なお、この操作は、板ガラス保持具の取付軸２をナット部材２３に連結した後の最終調整段階で行うようにしてもよい。
【００２０】
取付ベース２１を固定したら、ナット部材２３の先端部を中心開口２２ｃから突出させた状態で、カバー２２の内部にナット部材２３の球面部２３ａを組み込んだ状態でカバー２２を取付ベース２１に螺合させる。カバー２２を取付ベース２１に緩く締め付けると、ナット部材２３の球面部２３ａが、取付ベース２１の球面座２１ｇとカバー２２の球面座２２ｅとの間に緩く挟持される。したがって、この状態では、球面部２３ａが球面座２１ｇ，２２ｅに所定の範囲内であらゆる方向に自由に回転できるように保持される。
【００２１】
この状態で、取付軸２を、カバー２２より突出したナット部材２３の雌ネジ２３ｃに螺合連結する。そして、予めカバー２２の前面壁２２ａにセットした４個の調節ネジ２６を操作して、フランジ部２３ｂの前面を適宜押圧することにより、球面部２３ａを適宜回動させ、ナット部材２３の姿勢を板ガラス保持具の取付軸２に合わせる。以上の調整が終わったら、取付軸２を止めネジ２８で止めて、板ガラス保持具の取り付けを完了する。なお、ナット部材２３の姿勢調節後、調節ネジ２６を緩め、その後カバー２２を締め付けることによりナット部材２３を固定することも可能である。
【００２２】
このように、上記構成の取付装置５０においては、球面部２３ｂと球面座２１ｇ、２２ｅを設けることで、ナット部材２３の姿勢をあらゆる方向に調節自在としたので、板ガラス保持具の取付軸２とスタッドボルト１８の間に角度の不一致があっても、確実に板ガラス保持具を構造部材Ｍに固定することができる。また、角度合わせは調節ネジ２６を前方から操作するだけで行えるので、ある程度組み付けた段階での調整が可能であり、従来のスペーサを用いる場合と違って、正確で容易な調整を行うことができる。また、長孔２１ｆと固定位置調整ネジ２７の存在により、スタッドボルト１８に対する取付ベース２１の固定位置を調節できるので、構造部材Ｍ側と板ガラス保持具の位置ずれを確実に吸収することができる。
【００２３】
なお、この発明は、上記の実施の形態に限定されるものでなく、適宜変更可能である。
例えば、上記の実施の形態においては、取付軸２を連結する連結部材として雌ネジ孔２３ｃを有するナット部材２３を用いているが、ナット部材２３の先端部外周面に雄ネジを形成し、この雄ネジが螺合する雌ネジを取付軸２に形成してもよい。また、ナット部材２３の先端部をカバー２２から前方へ突出させているが、必ずしも突出させる必要はない。つまり、ナット部材２３は、球面部２３ａだけであってもよい。
さらに、取付ベース２１を構造部材Ｍに固定するのにスタッドボルト１８とナット２４を用いたが、頭付きボルトを、構造部材側に埋め込んだインサートナットに螺合して固定してもよい。
【００２４】
【発明の効果】
以上説明したように、請求項１に係る発明によれば、連結部材の姿勢をあらゆる方向に自由に調整することができるので、連結軸に取付軸を確実にかつ容易に連結することができるという効果が得られる。
請求項２に係る発明によれば、調節機構によって連結部材の姿勢の調節を容易に行うことができるという効果が得られる。
請求項３に係る発明によれば、取付装置をある程度組み立てた状態で、連結部材の姿勢調節をカバーの前方から容易に行うことができるという効果が得られる。しかも、その状態で調節ネジによりフランジを固定することができるので、連結部材の動きを確実に防止することができる。
請求項４に係る発明によれば、構造部材に対する取付ベースの位置を構造部材の壁面に沿って任意の方向に調節することができ、これによって取付軸と連結部材との位置ずれを解消することができるという効果が得られる。
請求項５に係る発明によれば、連結部材の位置調節を容易に行うことができるという効果が得られる。
【図面の簡単な説明】
【図１】この発明の一実施の形態の取付装置を構造部材に取り付けた状態で示す断面図である。
【図２】同取付装置の分解斜視図である。
【図３】同取付装置の主要構成を示す図であって、図３（ａ）は同取付装置の主要部品の断面図、図３（ｂ）は図３（ａ）図のＢ−Ｂ断面図である。
【図４】従来の板ガラス支持装置を示し、図４（ａ）はその正面図、図４（ｂ）は図４（ａ）のＢ−Ｂ断面図である。
【符号の説明】
２  取付軸
１８  スタッドボルト（固定軸）
２１  取付ベース
２１ｆ  長孔
２１ｇ  球面座
２２  カバー
２２ｅ  球面座
２３  ナット部材（連結部材）
２３ａ  球面部
２３ｂ  フランジ部
２６  調節ネジ
２７  固定位置調節ネジ
５０  取付装置
Ｍ  構造部材
Ｇ  板ガラス
【図１】
0003949802.tif 000002
【図２】
0003949802.tif 000003
【図３】
0003949802.tif 000004
【図４】
0003949802.tif 000005